(57)【要約】【課題】寒冷地においても蒸気復水器置場に屋根やシャッタあるいは騒音対策用消音器を設ける必要がなく、既存の設備を利用して建設コストの増大を防止することのできる蒸気復水装置を提供する。【解決手段】蒸気復水器３と、蒸気復水器に外気を給気する第１の給気エリア８ａと、この第１の給気エリアに設けられた第１の給気口２２と、蒸気復水器に、炉室または排ガス処理室を格納する領域の空気を給気する第２の給気エリア８ｂと、この第２の給気エリアに設けられた第２の給気口２５と、第１、第２の給気口を開閉する開閉機構２４と、第１、第２の給気エリアを通って外部に発散する蒸気復水器の騒音を遮音する防音壁１ａ，１ｂ，１ｃとを備えた、蒸気復水装置【選択図】　　図１
2004077022.tif 000002
【特許請求の範囲】
【請求項１】
蒸気復水器と、蒸気復水器に外気を給気する第１の給気エリアと、この第１の給気エリアに設けられた第１の給気口と、蒸気復水器に、炉室または排ガス処理室を格納する領域の空気を給気する第２の給気エリアと、この第２の給気エリアに設けられた第２の給気口と、第１、第２の給気口を開閉する開閉機構と、第１、第２の給気エリアを通って外部に発散する蒸気復水器の騒音を遮音する防音壁とを備えた、蒸気復水装置。
【請求項２】
第１の給気口は、給気エリア内に縦方向に配置されている請求項１に記載の蒸気復水装置。
【請求項３】
第２の給気口は、炉室または排ガス処理室を格納する領域に接して設けられている請求項１又は２に記載の蒸気復水装置。
【請求項４】
蒸気復水器の第２の給気エリアと、炉室または排ガス処理室を格納する領域とを、ダクトで連結している請求項１又は２に記載の蒸気復水装置。
【請求項５】
炉室または排ガス処理室を格納する領域から第２の給気口を通って蒸気復水器に給気する経路に送風機を設けている請求項１〜４の何れかに記載の蒸気復水装置。
【請求項６】
開閉機構は、蒸気復水器で過冷却を起こす雰囲気温度を検出する手段と、過冷却を起こす雰囲気温度となった時に、第１の給気口を閉じ、第２の給気口を開放する手段を備えた、請求項１〜５の何れかに記載の蒸気復水装置。
【発明の詳細な説明】
【０００１】
【発明の属する技術分野】
本発明は、寒冷地等において、蒸気復水器が過冷却により破損するのを防止した蒸気復水装置の改良に関する。
【０００２】
【従来の技術】
清掃工場などではごみ焼却炉で発生した熱を利用して蒸気を発生させ、発生した蒸気を発電用の蒸気タービンなどの運転に利用している。仕事を終えた蒸気は蒸気復水器によって冷却凝縮されて回収され、循環使用される。
【０００３】
図２は、蒸気復水器を設置した置場の断面を模式的に示す図である。蒸気復水器置場は、前後左右を防音壁１で囲んだ空間を仕切り板２によって上下に仕切られた構造であり、この仕切り板２上には複数の蒸気復水器３が積載され、さらに仕切り板２の下方には複数の冷却用ファン４が設けられている。
【０００４】
蒸気復水器３は、適宜の間隔を置いて図２の紙面に垂直な方向に配設された２本の復水集合管５と、この２本の復水集合管５の上方に平行に配設された１本の蒸気分配管６とが多数のフィン付きチューブ群からなる伝熱エレメント７で結合された構造となっている。
【０００５】
蒸気タービンの運転などに用いられ、仕事を終えた蒸気は蒸気分配管６に導かれて、蒸気分配管６に接続した伝熱エレメント７の内部がこの蒸気で充たされる。この状態で、仕切り板２の下方に設けられたファン４を回転させると、給気エリア８から空気が吸引されて伝熱エレメント７の表面に接触し、熱伝達により伝熱エレメント７から熱が奪われて冷却される。この結果、伝熱エレメント７内の蒸気は凝縮して復水となり、復水集合管５に集められる。一方、熱交換により加熱された空気は排気口エリア９から外部に排出される。
【０００６】
ここで、置場全体を覆うように防音壁を設ける理由は、蒸気復水器置場には直径が５〜１０ｍと巨大な冷却用のファン４が数台から数十台設置される場合があり、そのため、通常の蒸気復水器置場ではファン４の騒音対策が必要とされるためである。例えば、図２に示す蒸気復水器置場の寸法は、幅約２５ｍ×長さ約５０ｍ×高さ約２０ｍと大きなスペースを占有している。
【０００７】
【発明が解決しようとする課題】
しかしながら、寒冷地に設けられた蒸気復水器置場では、寒冷地特有の理由による種々の問題が発生する。
【０００８】
図３は、寒冷地仕様の蒸気復水器置場の断面を模式的に示す図である。寒冷地では冬期において、極度に冷却され氷点以下となった空気が伝熱エレメント７と接触することにより過冷却となり復水が凍結して蒸気復水器を構成する管の閉塞や破損を発生する危険性がある。また、空気の温度が氷点以上であっても過冷却された復水は酸素や二酸化炭素を再吸収しやすいため蒸気復水器を構成する管に激しい腐食を生ずることがある。したがって、寒冷地においてはこのような過冷却の発生を防止しなければならない。
【０００９】
この対策として、防音壁１の排気口エリア９と接する側壁の一部に排気口シャッタ１１を新たに設け、排気口エリア９からの暖かい空気を再度給気エリア８の上部に取り入れて循環させるリ・サーキュレーションが行われている。そして、このリ・サーキュレーションを確保するため、給気エリア８の上部には屋根１２を設けた密閉構造が採用され、且つ、リ・サーキュレーションを行わない夏場の給気のために、防音壁の側壁部に開閉可能な給気ロシャッタ１３を設けている。図４は、寒冷地仕様の蒸気復水器置場の夏場における断面を模式的に示す図である。すなわち、夏場においてはリ・サーキュレーションを行わないため、排気口シャッタ１１を閉とし、給気ロシャッタ１３を開放して冷却空気を取り入れる運転が行われる。しかし、防音壁１の一部が開放されることとなる結果、通常の蒸気復水器置場と比較すると、防音壁としての機能が低下し、その結果、給気口から放射される騒音が大きくなり、特に敷地境界が近接している場合は騒音対策用消音器１５を設ける等の相当な騒音対策が必要となる。
【００１０】
このように寒冷地仕様の蒸気復水器置場は、通常の蒸気復水器置場と比較して、屋根１２やシャッタ１１、１３を設ける必要があるばかりでなく、防音壁とは別に騒音対策用消音器１５を設置する必要が生じ、建設コストが増大するという問題点がある。
【００１１】
本発明は、係る事情に鑑みてなされたものであって、従来の構造をそのまま利用して簡単な構造で寒冷地においても蒸気復水器置場に屋根やシャッタあるいは騒音対策用消音器を設ける必要が無く建設コストの増大を防止することのできる蒸気復水装置を提供することを目的とする。
【００１２】
【課題を解決するための手段】
この目的を達成するために本発明は、以下の構成を備えている。
（１）　　蒸気復水器と、蒸気復水器に外気を給気する第１の給気エリアと、この第１の給気エリアに設けられた第１の給気口と、蒸気復水器に、炉室または排ガス処理室を格納する領域の空気を給気する第２の給気エリアと、この第２の給気エリアに設けられた第２の給気口と、第１、第２の給気口を開閉する開閉機構と、第１、第２の給気エリアを通って外部に発散する蒸気復水器の騒音を遮音する防音壁とを備えた、蒸気復水装置。
【００１３】
（２）　　第１の給気口は、給気エリア内に縦方向に配置されている（１）に記載の蒸気復水装置。
【００１４】
（３）　　第２の給気口は、炉室または排ガス処理室を格納する領域に接して設けられている（１）又は（２）に記載の蒸気復水装置。
【００１５】
（４）　　蒸気復水器の第２の給気エリアと、炉室または排ガス処理室を格納する領域とを、ダクトで連結している（１）又は（２）に記載の蒸気復水装置。
【００１６】
（５）　　炉室または排ガス処理室を格納する領域から第２の給気口を通って蒸気復水器に給気する経路に送風機を設けている（１）〜（４）の何れかに記載の蒸気復水装置。
【００１７】
（６）　開閉機構は、蒸気復水器で過冷却を起こす雰囲気温度を検出する手段と、過冷却を起こす雰囲気温度となった時に、第１の給気口を閉じ、第２の給気口を開放する手段を備えた、（１）〜（５）の何れかに記載の蒸気復水装置。
【００１８】
【発明の実施の形態】
以下、本発明の実施の形態を図面を参照して説明する。図１は蒸気復水装置の概略説明図である。この装置は、炉室または排ガス処理室を格納する領域２０に隣接して設けられている。この蒸気復水装置は、前後左右を防音壁１ａ，１ｂ，１ｃのうち１ａ，１ｂで囲まれて形成された空間を仕切り板２によって上下に仕切られた構造であり、この仕切り板２上には複数の蒸気復水器３が積載され、さらに仕切り板２の下方には複数の冷却用ファン４が設けられている。
【００１９】
蒸気復水器３は、適宜の間隔をおいて図１の紙面に垂直な方向に配設された２本の復水集合管５と、この２本の復水集合管５の上方に平行に配設された１本の蒸気分配管６とが多数のフィン付きチューブ群からなる伝熱エレメント７で結合された構造となっている。ここまでの構造は基本的に図２の構造と同じである。
【００２０】
その装置はさらに、床面２１と仕切り板２と防音壁１ｂ，１ｃとで形成された第１の給気エリア８ａ（図１の右側）と、床面２１と仕切り板２と防音壁１ａとで形成された第２の給気エリア８ｂ（図１の左側）とを形成している。この第１の給気エリア８ａは、ここを通って蒸気復水器に外気を給気するためのもので、第１の給気エリア８ａには防音壁１ｂと床面２１との間に第１の給気口２２を縦方向に設けている。第１の給気口２２には第１のシャッター２３が設けられ、この第１のシャッターは開閉機構２４により開閉可能となっている。一方、第２の給気口エリア８ｂは、ここを通って蒸気復水器に炉室または排ガス処理室を格納する領域２０の空気を供給するためのもので、この領域に隣接した壁面に第２の給気口２５を設けている。従って、第２の給気口は炉室または排ガス処理室を格納する領域２０に直接開口している。この第２の給気口２５には第２のシャッター２６が設けられ、このシャッターは開閉機構２４により開閉可能となっている。開閉機構は、蒸気復水器で過冷却を起こす雰囲気温度を検出する検出器２４ａと、過冷却を起こす雰囲気温度となった時に、第１、第２のシャッターを夫々駆動して、第１の給気口を閉じ、第２の給気口を開放する駆動装置２４ｂを備えている。
【００２１】
しかして、この蒸気復水装置は、夏季は、第１のシャッタ２３を上げて、第１の給気口２２を開放し、第２のシャッター２６を下ろして、第２の給気口２５を閉じて操業される。この場合、従来のように防音壁１に給気口が設けてないので、防音壁の機能が維持され、給気口から放射される騒音が大きくなることはなく、従来のように騒音対策用消音器等を設ける等の騒音対策は必要ない。
【００２２】
冬季など、蒸気復水器が過冷却を起こす雰囲気温度になると、検出器２４ａがこれを検知し、この検知信号に基づいて駆動装置２４ｂが作動し、第１のシャッター２３が下ろされて、第１の給気口２２を閉じ、第２のシャッター２６が上げられて、第２の給気口２５を開放する。このことにより炉室内等で暖められた空気が蒸気復水器下部の第２の給気エリア内に流入し、ここを通って蒸気復水器と接触する。その結果、蒸気復水器が過冷却を起こさない。
【００２３】
なお、本発明は、図示する実施態様に限定されるものではない。例えば、第１の開口部は第１の給気エリアにあればよく、図示する位置に限定されない。また、蒸気復水装置は、必ずしも炉室または排ガス処理室を格納する領域に物理的に接している必要はなく、例えばダクトにより連結されていてもよい。蒸気復水器置場が何処に設置されているかによって、適宜選択することができる。炉室または排ガス処理室を格納する領域から第２の給気口を通って蒸気復水器に給気する経路に送風機を設けてもよい。ダクトなどを設けることによりこの経路が長くなるように場合に特に有効である。
【００２４】
【発明の効果】
以上、本発明によれば、過冷却のおそれがある場合に、炉室または排ガス処理室を格納する領域の空気を蒸気復水器に給気するようにしたので、簡単な構造で過冷却の問題を解決できる。すなわち、従来のように防音壁に開口部を設ける必要がないので消音器等の設置が不要となる。また、リ・サーキュレーションをしないので、給気口上部に屋根を設置する必要がない。また、本発明装置は、炉室または排ガス処理室を格納する領域から空気を供給できる経路を追加するだけなので、過冷却対策をしていない従来設備を若干改良するだけでよい。また、開口部の開閉制御も温度検知に基づくだけなので、制御が容易である。
【図面の簡単な説明】
【図１】本発明の一実施の形態を示す概略説明図。
【図２】従来の一般的な蒸気復水器を設置した置場の断面を模式的に示す図。
【図３】従来の寒冷地仕様の蒸気復水器置場の断面を模式的に示す図。
【図４】従来の寒冷地仕様の蒸気復水器置場の夏場における断面を模式的に示す図。
【符号の説明】
１、１ａ，１ｂ，１ｃ…防音壁
２…仕切り板
３…蒸気復水器
４…ファン
５…復水集合管
６…蒸気分配管
７…伝熱エレメント
８…給気エリア
８ａ…第１の給気エリア
８ｂ…第２の給気エリア
９…排気口エリア
１１…排気口シャッタ
１２…屋根
１３…排気口シャッタ
１５…騒音対策用消音器
２０…炉室または排ガス処理室を格納する領域
２１…床面
２２…第１の給気口
２３…第１のシャッター
２４…開閉機構
２４ａ…検出器
２４ｂ…駆動装置
２５…第２の給気口
２６…第２のシャッター
【図１】
2004077022.tif 000003
【図２】
2004077022.tif 000004
【図３】
2004077022.tif 000005
【図４】
2004077022.tif 000006